(57)【要約】      （修正有）【課題】瓶・缶・ペットボトルに入った飲料水・酒類等を開栓後に飲み残して再び栓をする場合、酸化などによる、その内容物の品質劣化を防ぐ為の風船タイプの容器用自在栓を提供する。【解決手段】風船本体１を対象容器４の中に入れる。二本の管は容器の口から外に出しておく。風船本体を膨らませ、対象容器内の空気を排除する。その後、風船の空気導管部分２をねじる（あるいは結ぶ）などして風船本体内の空気を逃がさないようにしたまま、瓶やペットボトルの開口部側面部分に巻きつける。風船本体の膨らみを維持したまま、風船に接合した被覆用管部分の開口部を広げて、それを瓶やペットボトルの開口部全体を包み込むように覆い被せる。【選択図】図２
0003196986.tif 000002
【実用新案登録請求の範囲】
【請求項１】
瓶・缶・ペットボトルに入った飲料水・酒類などの開栓後に、飲み残しなどを理由に再び栓をする場合に於いて、内容物の酸化や炭酸の減少などを排除し品質を保持する目的の為に、容器内の空気を外へ締め出し、かつ、容器を密閉状態に保つ事を特徴とする、風船タイプの各種容器用自在栓。
【請求項２】
通常玩具として使用する風船の形状に加え、同質、あるいは同等の材料からなる伸縮・膨張が自在な細長い管を、その根元で空気の出入りを閉ざした状態で接合した形状を有する。風船を膨らませることで容器内の空気を排除した後、この追加接合した管が最終的に容器の開口部全体を被覆し栓の役割を果たすことを特徴とした請求項１に記載の容器用自在栓。
この形状を構成する各部分の名称を以下の通り記すこととする。風船の膨らむ部分を風船本体、風船に空気を出し入れする細長い部分を空気導管部分、追加接合した管を被覆用管部分。
尚、缶容器の蓋について、飲料水、酒類ではステイオンタブ式（缶蓋部分のリングを指で引き、それが缶本体から離れずついたままの状態であるもの）と呼ばれるものが多く、本考案では主にその形式を対象に想定しているが、文中の名称は蓋と表記する。
【請求項３】
本考案、請求項１及び請求項２に記載の形状に於いては、風船本体、空気導管部分、被覆用管部分の大きさと長さ、そしてそれらの各バランスは、その目的を遂行するに適切な範囲のものとし、材料・材質に於いては公序良俗に反せず、これもまたその目的を遂行するに適切な伸縮・膨張が可能なものであれば、その材質はゴム製にこだわるものではない。また各構成部分の膨張率に於いては、同率である必要はなく、又は材料の厚みを変えたり、伸縮性に違いのある材質を使うことも可能である。それによって風船本体に於いても球形を必要な形に変形させることも可能となる。被覆用管部分を接合する風船本体の場所については、その目的を遂行するに適切な範囲内とする。
【考案の詳細な説明】
【技術分野】
【０００１】
本考案は、瓶・缶・ペットボトルに入った飲料水・酒類等を開栓後に飲み残して再び栓をする場合、酸化などによる、その内容物の品質劣化を防ぐ為に使用する容器用の栓に関するものである。
【背景技術】
【０００２】
従来、瓶などに入ったドリンク類の飲み残しを再び保存する時に、その鮮度を保つための容器の栓や蓋についての考案があった。これは容器に元々付いていた栓や蓋を再利用したために、鮮度維持に必要な密閉度が確保されなかったり、容器内に残った空気が原因で酸化してしまうことを防ぐ為である。
こうした問題に対して考案された特許文献１（実開平６−７８２５８号公報）では容器内で管を通した風船を膨らませてそれを閉じるというものである。容器内の空気を締め出すという効果はあるが、止め具に用いるクリップでは密閉保持に対する信頼性が低く、浮き輪用の栓でも利用可と記されているが、実際のサイズを想定すると現実性に乏しいという欠点があった。
【０００３】
同様の対策として、特許文献２（特開２００９−２０２９１２号公報）では、バルーンと支持軸を利用し、瓶入りワインやそれ以外にも範囲を広げた密閉性を維持する考案もあった。しかしながら
日常で飲料水等に飲み残しが発生するケースでは容器の栓の開閉が頻繁にあると考えられる。その都度この自在栓を設置と解除を繰り返す必要があり、操作の負担が大きいと考えられる。又、管を通して内容物を出し入れ出来るとの記載があるが、飲料水の場合は容器の開口部に直接口を当てて飲み込む場合が多数と考えられ、この考案はその欲求を満たさないという問題も残る。
【先行技術文献】
【特許文献】
【０００４】
【特許文献１】実開平６−７８２５８号公報
【０００５】
【特許文献２】特開２００９−２０２９１２号公報
【考案の概要】
【考案が解決しようとする課題】
【０００６】
現在、瓶やペットボトルに入ったドリンクや酒類の飲み残しを再び保存するためには、その容器の栓や蓋を再度利用するケースがほとんどである。その場合、密閉度が落ちてしまうことが多々あり、更に容器内に残る空気の存在もあり、それらが原因で内容物の炭酸が減少したり、酸化等で内容物の品質が落ちてしまう等の問題が多くあった。特に缶容器は瓶やペットボトルと同等に多くのドリンク類や酒類で使われているが、開口部の蓋にはステイオンタブ式と呼ばれる形状が多数を占め、一度蓋を開けると密閉に戻す対策も取れないことが特に多くある。容器内に残った液体の品質保持のためは、容器内の空気を排除したうえで、確実、長期に渡り密閉状態を維持しなければならない。更に多種多様な容器の内型・口型にも対応が出来なければならない。更に前述の理由から、可能な限り空気に触れぬように短時間で装着できることが望まれる。以上の問題点を解消する各種容器用の自在栓を提供することを、この考案の目的とする。
【課題を解決するための手段】
【０００７】
本考案は上記問題の解決のため、伸縮が自在で、膨張も可能な、通常玩具として使用する風船を原形とし、それに加えて最終的に容器を覆う部分となる、風船と同質、或いは同等の材料からなる伸縮・膨張が自在な細長い管を一本接合した形状をもつ自在栓である。その利点を生かし各種容器の様々な内型・口型に対応しつつ、内容物の品質保持を可能にすることを最も主要な特徴とする。
【考案の効果】
【０００８】
本考案の風船タイプの容器用自在栓は、その伸縮性を生かして容器内で膨らませることにより、容器の中の空気を外へ締め出し、内容物の炭酸減少や酸化の原因となる空気の殆どを容器内から除外した状態をつくる。
【０００９】
本考案の風船タイプの容器用自在栓は、容器の中で膨張した風船の空気導管部分をねじる（あるいは結ぶ）などをして閉じることで１次的な栓の役割をする。更に追加接合した別の管（被覆用管部分）を容器の開口部分におおい被せることにより２次的な栓の役割をする。この2重に栓をすることにより密閉性の高い状態をより確実に、長く保ち内容物の品質の劣化を遅らせることができる。
【００１０】
本考案の風船タイプの容器用自在栓は前述の通り、容器の開口部全体に伸縮性のある管をおおい被せて使用する為、その対象は一般に出回っているドリンクや酒類の容器である瓶やペットボトル、缶などの全般に及ぶ。
【００１１】
本考案の風船タイプの容器用自在栓の扱い方は、風船を膨らませた後、容器の開口部分に、弾力性のある管を広げて被せる、あるいは剥がす、という単純な作業なので、その所要は短時間で済み、使用方法も幅広い年齢層に理解されやすく汎用性が高い。
【図面の簡単な説明】
【００１２】
【図１】本考案の風船タイプの容器用自在栓の形状を表す図
【図２】自在栓を容器に入れた状態のイメージ図  （１）ペットボトル容器  （２）缶容器
【図３】自在栓に空気を入れて膨らませて、空気導管部分をねじった状態のイメージ図  （１）ペットボトル容器  （２）缶容器
【図４】ねじった空気導管部分を容器開口部に巻きつけ始める様子のイメージ図、それと風船の被覆用管部分を広げた装着寸前のイメージ図  （１）ペットボトル容器  （２）缶容器
【図５】容器に本考案の自在栓を装着したイメージ図  （１）ペットボトル容器  （２）缶容器
【考案を実施するための形態】
【００１３】
本考案の風船タイプの容器用自在栓は、一般に玩具として利用される風船に、風船と同質、あるいは同等の材料からなる伸縮・膨張が自在な細長い管を接合した形状を有する。その接合箇所は風船の空気導管部分（空気が出入りする管部分）の根元近辺とし、空気が出入りできない状態で接合する。この接合した管を最終的に容器の開口部全体に囲むように、おおい被せて容器の自在栓の役割を果たす。
【００１４】
風船本体を対象容器の中に入れる。二本の管は容器の口から外に出しておく。風船本体を膨らませ、対象容器内の空気を排除する。その後、風船の空気導管部分をねじる（あるいは結ぶ）などして風船本体内の空気を逃がさないようにしたまま、瓶やペットボトルの開口部側面部分に巻きつける。缶容器の場合は蓋のリング等に巻きつける。風船本体の膨らみを維持したまま、風船に接合した被覆用管部分の開口部を広げて、それを瓶やペットボトルの開口部全体を包み込むようにおおい被せる。缶容器の場合は、その円柱の側面を包み込むようにおおい被せる。被せる時には、開口部に巻きつけてある風船の空気導管部分も一緒に覆って被せる。
【実施例１】
【００１５】
図２は、容器の中に本考案品を入れたイメージ図である。（１）ペットボトル容器  （２）缶容器
【００１６】
図３は、容器内の風船本体を膨らませて容器内部の空気を排除し、内部の空気が逃げないように風船の空気導管部分をねじったイメージの図である。（１）ペットボトル容器  （２）缶容器
【００１７】
図４は、ねじった空気導管部分を容器開口部に巻きつけ始める様子と被覆用管部分の開口部を広げているイメージ図である。その後、広げた被覆用管部分を対象容器の開口部全体を包み込むように被せる。被せる時には、開口部に巻きつけてある風船の空気導管部分も一緒におおって被せる。（１）ペットボトル容器  （２）缶容器
【００１８】
図５は、本考案の風船タイプの容器用自在栓を各容器に装着し終えた図である。（１）ペットボトル容器  （２）缶容器
【符号の説明】
【００１９】
１    風船本体
２    風船の空気導管部分
３    風船の被覆用管部分
４    ペットボトル容器
５    缶容器  
【図１】
0003196986.tif 000003
【図２】
0003196986.tif 000004
【図３】
0003196986.tif 000005
【図４】
0003196986.tif 000006
【図５】
0003196986.tif 000007
【手続補正書】
【提出日】平成27年2月13日(2015.2.13)
【手続補正１】
【補正対象書類名】実用新案登録請求の範囲
【補正対象項目名】全文
【補正方法】変更
【補正の内容】
【実用新案登録請求の範囲】
【請求項１】
飲料水や酒類に使われる瓶・缶・ペットボトル等の容器に於いて、開栓後に再び栓をする場合に、容器内の空気の多くを除外し密閉状態を保持したまま栓をすることを目的とした自在栓であり、主に玩具用として利用される本体が球状のゴム製風船に、栓の役割を持つ風船と同質材料からなる管を接合した形状を特徴とした、風船タイプの容器用自在栓。